(57)【要約】【課題】  本考案は、首輪と関係無しで愛玩動物のアクセサリーを提供して動物自身とその飼い主の満足を得んとするものである。【解決手段】  本考案のアクセサリーは、宝石１に形成した透孔２に紐体３を通し、宝石１を紐体３に装着し、紐体３は愛玩動物の首部へ巻着可能な無端状の輪と成したことを特徴とする。宝石１が愛玩動物の誕生石であること、紐体３を麻糸で形成し、または、紐体３が麻糸の組み紐３Ａであること、或いは、宝石１への挿通部を除いた紐体の他の部分を組み紐３Ｂとしても良い。【選択図】  図２
0003121710.tif 000002
【実用新案登録請求の範囲】
【請求項１】
宝石に形成した透孔に紐体を通し、宝石を紐体に装着し、紐体は愛玩動物の首部へ巻着可能な無端状の輪と成したことを特徴とする愛玩動物用アクセサリー。
【請求項２】
宝石が愛玩動物の誕生石であることを特徴とする請求項１記載の愛玩動物用アクセサリー。
【請求項３】
紐体が麻糸で形成してあることを特徴とする請求項１記載の愛玩動物用アクセサリー。
【請求項４】
紐体が組み紐であることを特徴とする請求項３記載の愛玩動物用アクセサリー。
【請求項５】
宝石への挿通部を除いた他の部分は、組み紐であることを特徴とする請求項３記載の愛玩動物用アクセサリー。
【請求項６】
一端部に係止孔を形成し、他端部付近に係止玉を設け、前記係止孔に係止玉を着脱可能に挿通係止して輪を形成した請求項４又は５記載の愛玩動物用アクセサリー。
【考案の詳細な説明】
【技術分野】
【０００１】
本考案は犬や猫等の愛玩動物のアクセサリーに関するものである。
【背景技術】
【０００２】
愛玩動物が直接身に着けるものに関して、考案の対象となっているものは、首輪や動物用の衣服であり、純粋な意味合いでのアクセサリーは殆ど発見できない。
例えば、特開２００３−１７４８３３は装飾性の高いペット用首輪で、バンドと、ここに着脱可能に取り付けた貴金属製の装飾用ヘッドとを有し、装飾用ヘッドは、ベースプレートと、この表面に取り付けた宝石から構成され、ベースプレートの裏面に形成したループ部にバンドを通して任意位置に取り付けるものである。
また、実用新案登録第３０８９９４４号は、首輪に各種素材を使用し、且つ、各種の形状を保有した物或いは各種素材を用いて形成されたアクセサリー類を各種手段で係止したものである。
【考案の開示】
【考案が解決しようとする課題】
【０００３】
上記のように従来のものは首輪を前提とし、その首輪に対していかに装飾を凝らすかが課題であって、純粋に装飾を目的に工夫されたものではないのである。
そこで、本考案は、首輪と関係無しで愛玩動物のアクセサリーを提供して動物自身とその飼い主の満足を得んとするものである。
【課題を解決するための手段】
【０００４】
本考案のアクセサリーは、宝石に形成した透孔に紐体を通し、宝石を紐体に装着し、紐体は愛玩動物の首部へ巻着可能な無端状の輪と成したことを特徴とするものである。
宝石が愛玩動物の誕生石であること、紐体を麻糸で形成し、または、紐体が麻糸の組み紐であること、或いは、宝石への挿通部を除いた紐体の他の部分を組み紐としても良い。
【０００５】
そして、一端部に係止孔を形成し、他端部付近に係止玉を設け、前記係止孔に係止玉を着脱可能に挿通係止して輪を形成したものとしても良い。
【考案の効果】
【０００６】
本考案は、紐体が無端状の輪であるから動物の首部へ容易に装着できる効果があり、宝石の透孔に紐体が挿通されているから抜け落ちる虞が無く、装飾的効果を発揮するものである。
そして、宝石を動物の誕生石とすることで、飼い主の満足感及び喜びを増大させる効果が得られるものとなる。
【０００７】
また、紐体を麻糸で形成することで、滑らかで柔らかく、且つ、軽量で静電気の発生も無いため、装着した動物に負担が少なく、皮膚や毛にも優しくなる効果を有し、組み紐とすれば強靭性が得られると共に紐体自体にも装飾的効果を発揮させるものとなる。
更に、宝石への挿通部を除いた紐体の他の部分を組み紐とすることで、組み紐部分を太めとして装飾効果を高めると共に、宝石を挟む格好となって宝石の位置決め効果も得られるのである。
【０００８】
そして、一端部に係止孔を形成し、他端部付近に係止玉を設け、前記係止孔に係止玉を着脱可能に挿通係止して輪を形成したものとすれば、首部への装着が容易となり、また、係止玉の位置を変えることで無端状の輪の大きさを調節可能とすることができ、動物の成長に応じられものとなり、形態も豪華になると共に、上記組み紐を利用すれば更なる効果を期待できるものである。
【考案を実施するための最良の形態】
【０００９】
本考案の実施の形態を図面に基づいて説明する。
図１は本考案の愛玩動物のアクセサリーの一実施の形態を示す正面図であり、宝石１に形成した透孔２に紐体３を挿通し、宝石１を紐体３に装着してある。
そして、紐体３は愛玩動物の首部へ巻着可能な無端状の輪を形成している。
【００１０】
宝石１は任意の石を選択することができ、装着する愛玩動物の誕生石を選択すれば飼い主の趣味を一層満足させるものとなる。
また、宝石の数も自由に設定することができ、図２のように輪に対して等間隔で複数個配置するものとしても良い。
【００１１】
紐体３は任意の素材で構成できるが、麻糸を用いたものが動物には好まれる。
麻糸は柔らかくて軽く、また、静電気の発生を防ぐため動物に優しく負担とならず、首輪と併用することが多いため特に有意義である。
麻糸は多数本を引き揃えて適宜の強靭さを得る事ができ、また、撚り糸として使用するも良いが、複数の撚り糸で組み紐を構成すればより強靭なものとなり、各糸の色を変えて組み合わせれば装飾的にも勝れた紐体となるものである。
【００１２】
図３は、紐体を麻糸の組み紐とした実施態様を示す要部断面図である。
組み紐３Ａを比較的細く構成し、宝石１の透孔２にかろうじて挿通可能となっているため、そのまま挿通して輪状に形成すれば、透孔２と組み紐３Ａの摩擦力によって宝石１が定位置を保って組み紐３Ａに装着されているものとなる。
【００１３】
図４は、紐体を麻糸の組み紐とした他の実施態様を示す要部断面図である。
太目の組み紐３Ｂが宝石１の透孔２を通れないため、透孔２の挿通部分３Ｃは組み合わせずに又は緩く組んで細めとして通過を可能とし、また、透孔２の前後組み合わせの大径により宝石１を挟持した格好とすることによって、宝石１の透孔２への挿通を図ると共に、位置決めを確実とし、組み紐３Ｂに宝石１を装着している。
【００１４】
図５は、紐体３を輪状に形成する一実施態様を示すものであり、紐体３の一端部に係止孔４を形成し、他端部付近には係止玉５を設けたものである。
係止玉５と係止孔４は、係止玉５が係止孔４を通過可能な大きさの関係を有し、係止孔４に係止玉５を通過させ、係止孔４の変形によって係止玉５が抜け戻るのを防止して紐体３の輪状を形成維持するものである。
【００１５】
係止孔４は、例えば紐を二重に折り曲げ、その折曲端部分を少し残して組み紐を形成していけば一端部に係止孔４を形成できる。
他端部は係止玉５に透孔６形成し、通した紐の端部に結び目７を造って係止玉４の脱落を防止し、係止玉５を他端部付近に取り付けたものである。
そして、係止玉５を紐体３の他端部における先端からの位置を変えることによって、形成される輪状の大きさを自在とすることができるものである。
【図面の簡単な説明】
【００１６】
【図１】本考案の愛玩動物のアクセサリーの一実施の形態を示す正面図である。
【図２】本考案の愛玩動物のアクセサリーの他の実施の形態を示す正面図である。
【図３】紐体を麻糸の組み紐とした実施態様を示す要部断面図である。
【図４】紐体を麻糸の組み紐とした他の実施態様を示す要部断面図である。
【図５】紐体３を輪状に形成する一実施態様を示す正面図である。
【符号の説明】
【００１７】
１    宝石
２    透孔
３    紐体
３Ａ  組み紐
３Ｂ  組み紐
３Ｃ  挿通部分
４    係止孔
５    係止玉
６    透孔
７    結び目
【図１】
0003121710.tif 000003
【図２】
0003121710.tif 000004
【図３】
0003121710.tif 000005
【図４】
0003121710.tif 000006
【図５】
0003121710.tif 000007